(57)【要約】【課題】 部品点数が少なく、小型かつ省電力化が可能となるとともに、ノイズ対策等が不要となる閃光機能付撮像装置を提供する。【解決手段】 カメラ本体には複数個のＬＥＤが配置されている。シャッターキーが半押しされたならば、向きセンサが検出しているカメラ本体の向きを取得する（ＳＤ３）。テーブルからカメラ本体の向きに対応する各ＬＥＤの発光強度を読み出す（ＳＤ４）。周囲の明るさに基づき、複数のＬＥＤからなる閃光装置の全発光量を算出する（ＳＤ５）。この算出した全発光量と、ステップＳＤ４で読み出したした各ＬＥＤ５１〜６８の発光強度（相対値）とに基づき、各ＬＥＤ５１〜６８の発光量を算出する（ＳＤ６）。シャッターキー８が全押しされたならば（ステップＳＤ７；ＹＥＳ）、ステップＳＤ６で算出された発光量で各ＬＥＤ５１〜６８を発光させて（ステップＳＤ８）、撮像する（ステップＳＤ９）。【選択図】      図１１
2008058978.tif 000002
【特許請求の範囲】
【請求項１】
当該撮像装置の状態を検出する状態検出手段と、
複数個の発光手段を備えた発光部と、
前記状態検出手段の検出結果に基づいて、前記複数個の発光手段それぞれの発光量を決定する決定手段と、
撮像動作に伴って、前記決定手段により決定された発光量で前記発光手段それぞれを発光させる制御手段とを備えたことを特徴とする閃光機能付撮像装置。
【請求項２】
前記状態検出手段は、当該撮像装置が設定する測光エリアの状態を検出することを特徴とする請求項１記載の閃光機能付撮像装置。
【請求項３】
前記測光エリアは、当該撮像装置が結像する被写体画像を複数に区分した複数のエリアで構成され、前記状態検出手段は前記複数の測光エリアの明るさを検出することを特徴とする請求項２記載の閃光機能付撮像装置。
【請求項４】
前記状態検出手段は、被写体画像に重ねてフレームを表示する撮影補助フレーム表示が選択されていることを検出することを特徴とする請求項１記載の閃光機能付撮像装置。
【請求項５】
前記状態検出手段は、複数種の撮影補助フレームのうちいずれが選択されているかを検出し、前記決定手段は、前記状態検出手段により検出された撮影補助フレームに応じて前記発光手段の発光量を決定することを特徴とする請求項４記載の閃光機能付撮像装置。
【請求項６】
周囲の明るさを検出する明るさ検出手段と、
被写体画像の合焦を行うオートフォーカス手段とをさらに備え、
前記制御手段はさらに、前記オートフォーカス手段の作動時に前記明るさ検出手段により検出された周囲の明るさが所定以下である場合、前記フレームに対応する被写体部分を対象に、前記発光手段を発光させることを特徴とする請求項４又は５記載の閃光機能付撮像装置。
【請求項７】
前記状態検出手段は、前記撮像装置の向きを検出することを特徴とする請求項１記載の閃光機能付撮像装置。
【請求項８】
前記決定手段は、前記状態検出手段が検出した前記撮像装置の向きに応じて、該撮像装置が有するレンズよりも上方に位置する発光手段の発光量が下方に位置する発光手段の発光量よりも多くなるように発光量の決定を行うことを特徴とする請求項７記載の閃光機能付撮像装置。
【請求項９】
周囲の明るさを検出する明るさ検出手段と、
前記状態検出手段により検出された撮像装置の向きに応じて、オートフォーカス評価を行う被写体箇所を設定する設定手段と、
この設定手段により設定された前記被写体箇所に対して合焦を行うオートフォーカス手段とをさらに備え、
前記制御手段はさらに、前記オートフォーカス手段の作動時に前記明るさ検出手段により検出された周囲の明るさが所定以下である場合、前記被写体箇所を対象に、前記発光手段を発光させることを特徴とする請求項７記載の閃光機能付撮像装置。
【請求項１０】
前記撮像装置はさらにズーム手段を備え、
前記状態検出手段は、前記ズーム手段のズーム状態を検出することを特徴とする請求項１記載の閃光機能付撮像装置。
【請求項１１】
前記複数個の発光手段は、各々放射光の拡散方向が異なった方向に設定されていることを特徴とする請求項１から１０にいずれか記載の閃光機能付撮像装置。
【請求項１２】
前記複数の発光手段は、前記撮像装置が有するレンズを中心にして同心円状に配置されたことを特徴とする請求項１から１０にいずれか記載の閃光機能付撮像装置。
【請求項１３】
前記複数の発光手段は、直線上に配置されたことを特徴とする請求項１から１０にいずれか記載の閃光機能付撮像装置。
【請求項１４】
前記複数の発光手段は、発光色の異なるものを含むことを特徴とする請求項１から１０にいずれか記載の撮像装置用閃光装置。
【請求項１５】
前記複数の発光手段は、発光ダイオードであることを特徴とする請求項１から１４にいずれか記載の撮像装置用閃光装置。
【請求項１６】
当該撮像装置の状態を検出する状態検出ステップと、
前記状態検出ステップでの検出結果に基づいて、発光部が備える複数個の発光手段それぞれの発光量を決定する決定ステップと、
撮像動作に伴って、前記決定ステップにより決定された発光量で前記発光手段それぞれを発光させる制御ステップとを含むことを特徴とする撮像装置の発光制御方法。
【発明の詳細な説明】
【技術分野】
【０００１】
本発明は、ＬＥＤ(Light Emitting Diode)等で構成される複数の発光手段を備えた閃光機能付撮像装置及び撮像装置の発光制御方法に関する。
【背景技術】
【０００２】
近年、ＣＣＤ型やＭＯＳ型の固体撮像素子を用いて被写体を撮像し、それを画像データとしてフラッシュメモリ等の記録媒体に記録するデジタルカメラが一般に普及している。デジタルカメラにおいても従来の銀塩カメラと同様のストロボを有するものが多い。
【０００３】
図２５は、従来の一般的なストロボ１００を示すブロック図であって、ストロボ１００は以下のようにして撮像補助光を発する。すなわち、マイコン１０１からの制御によって昇圧トランス１０２にて電池等の電源１０３からの電圧を３２０Ｖ程度に昇圧させ、メインコンデンサ１０４に充電を行わせ、その充電状態を維持させる。撮像時には、マイコン１０１からの制御により駆動素子（ＩＧＢＴ）１０５によってトリガコイル１０６を駆動し、トリガコイル１０６から２ＫＶ以上の電圧を放電管１０７に与え、放電管１０７を発光させる。さらに、その光の（被写体からの）反射光を調光センサ１０８によって捉え、それが規定量の光量になったところで調光回路１０９により発光を停止させ、これにより適切な撮像補助光を確保する。また、オートフォーカス制御時には、調光センサ１０８により周囲の明るさを検出し、この周囲の明るさが所定以下である場合には、同様に放電管１０７を発光させる。これにより、被写体を認識可能な明るさを確保した上で、オートフォーカスを実行する。
【発明の開示】
【発明が解決しようとする課題】
【０００４】
しかしながら、このように従来のストロボ１００は、発光時に多量の電力を消費する放電管１０７を光源として用いて、撮影補助光とオートフォーカス補助光とを確保するようにしている。このため、撮像時は無論のことオートフォーカス時にも多量の電力を消費することとなり、消費電力が大きいという問題が生ずる。また、放電管１０７以外にも、それに供給する電力を得るための昇圧トランス１０２、メインコンデンサ１０４、トリガコイル１０６が不可欠である。このため、部品点数が多く、高電圧を発生する際にノイズが発生するため、カメラ本体に組み込むには他の回路へのノイズ対策を行う必要があるといった問題があった。
【０００５】
本発明は、かかる従来の課題に鑑みてなされたものであり、部品点数が少なく、小型かつ省電力化が可能となるとともに、ノイズ対策等が不要となる閃光機能付撮像装置及び撮像装置の発光制御方法を提供することを目的とする。
【課題を解決するための手段】
【０００６】
前記課題を解決するために請求項１の発明にかかる閃光機能付撮像装置にあっては、当該撮像装置の状態を検出する状態検出手段と、複数個の発光手段を備えた発光部と、前記状態検出手段の検出結果に基づいて、前記複数個の発光手段の発光量を決定する決定手段と、撮像動作に伴って、前記決定手段により決定された発光量で前記発光手段を発光させる制御手段とを備える。
【０００７】
つまり、撮像装置の状態に基づいて複数個の発光手段の発光量を予め決定し、撮像時にはこの予め決定されている発光量で発光手段を発光させる。したがって、撮像時には、複数の発光手段の全てあるいは一部等、当該撮像装置の状態に応じた必要数の発光手段を点灯させれば、必要な明るさを確保することが可能となることから、従来のストロボのように、単一の発光手段で撮像時に所要の明るさを確保する放電管や、それに供給する電力を得るための昇圧トランス、コンデンサ、トリガコイル等を用いる必要はない。よって、部品点数少なくし、小型かつ省電力化が可能となるとともに、ノイズ対策等が不要となる。
【０００８】
また、請求項２記載の発明にかかる閃光機能付撮像装置にあっては、前記状態検出手段は、当該撮像装置が設定する測光エリアの状態を検出する。したがって、当該撮像装置が設定する測光エリアの状態に基づいて、複数個の発光手段の発光量が決定されることとなり、測光エリアを過不足のない最適により近い状態の明るさにして撮像を行うことができる。
【０００９】
また、請求項３記載の発明にかかる閃光機能付撮像装置にあっては、前記測光エリアは、当該撮像装置が結像する被写体画像を複数に区分した複数のエリアで構成され、前記状態検出手段は前記複数の測光エリアの明るさを検出する。したがって、被写体画像を複数に区分した複数の各測光エリアの状態に基づいて、複数個の発光手段の発光量が決定されることとなり、これにより各測光エリアの全てを過不足のない最適により近い状態の明るさにして撮像を行うことができる。
【００１０】
また、請求項４記載の発明にかかる閃光機能付撮像装置にあっては、前記状態検出手段は、被写体画像に重ねてフレームを表示する撮影補助フレーム表示が選択されていることを検出する。したがって、撮影補助フレーム表示が選択されていると、複数個の発光手段の発光量が予め決定されて、撮像時には決定されている発光量で発光手段を発光させる。よって、フレーム内に被写体の一部を特定配置して撮像を行った際に、この特定配置に対応した発光が可能となり、最適により近い状態の明るさで特定配置した被写体を撮像することができる。
【００１１】
また、請求項５記載の発明にかかる閃光機能付撮像装置にあっては、前記状態検出手段は、複数種の撮影補助フレームのうちいずれが選択されているかを検出し、前記決定手段は、前記状態検出手段により検出された撮影補助フレームに応じて前記発光手段の発光量を決定する。したがって、複数種の撮影補助フレームのうちいずれが選択されても、フレーム内に被写体の一部を特定配置して撮像を行った際に、この特定配置に対応した発光が可能となり、最適により近い状態の明るさで特定配置した被写体を撮像することができる。
【００１２】
また、請求項６記載の発明にかかる閃光機能付撮像装置にあっては、周囲の明るさを検出する明るさ検出手段と、被写体画像の合焦を行うオートフォーカス手段とをさらに備え、前記制御手段はさらに、前記オートフォーカス手段の作動時に前記明るさ検出手段により検出された周囲の明るさが所定以下である場合、前記フレームに対応する被写体部分を対象に、前記発光手段を発光させる。したがって、フレームに対応する被写体部分を対象に複数の発光手段を発光させることにより、少ない電力消費で効率的に重要なフレームに対応する被写体部分に所要の明るさを確保して、オートフォーカス制御を行うことができる。これによって、薄暗いためＡＦ動作し難い環境下においても、少ない消費電力で重要な被写体部分に対するＡＦを確実に行うことができる。
【００１３】
また、請求項７記載の発明にかかる閃光機能付撮像装置にあっては、前記状態検出手段は、前記撮像装置の向きを検出する。したがって、当該撮像装置の向きに基づいて、複数個の発光手段の発光量が決定されることとなり、当該撮像装置の向き如何なる方向であっても、最適により近い状態の明るさにして撮像を行うことができる。
【００１４】
また、請求項８記載の発明にかかる閃光機能付撮像装置にあっては、前記決定手段は、前記状態検出手段が検出した前記撮像装置の向きに応じて、該撮像装置が有するレンズよりも上方に位置する発光手段の発光量が下方に位置する発光手段の発光量よりも多くなるように発光量の決定を行う。すなわち、基本的に、被写体側から見た発光部の位置は、相対的にレンズよりも上方に位置する方が（被写体の影がその直後の壁等に大きく投影された撮像画像とならず）好ましい撮像画像が得られるとされている。したがって、撮像装置の向きに応じて、レンズよりも上方に位置する発光手段の発光量が下方に位置する発光手段の発光量よりも多くなるように発光量の決定を行うことにより、撮像装置を縦横どちらに構えた時でも、最適な発光を行え、好ましい画像を撮像することができる。
【００１５】
また、請求項９記載の発明にかかる閃光機能付撮像装置にあっては、周囲の明るさを検出する明るさ検出手段と、前記状態検出手段により検出された撮像装置の向きに応じて、オートフォーカス評価を行う被写体箇所を設定する設定手段と、この設定手段により設定された前記被写体箇所に対して合焦を行うオートフォーカス手段とをさらに備え、前記制御手段はさらに、前記オートフォーカス手段の作動時に前記明るさ検出手段により検出された周囲の明るさが所定以下である場合、前記被写体箇所を対象に、前記発光手段を発光させる。したがって、オートフォーカス評価を行う被写体箇所を対象に複数の発光手段を発光させることにより、少ない電力消費で効率的に前記被写体箇所に所要の明るさを確保して、オートフォーカス制御を行うことができる。これによって、薄暗いためＡＦ動作し難い環境下においても、少ない消費電力でオートフォーカス評価を行う被写体箇所に対するＡＦを確実に行うことができる。
【００１６】
また、請求項１０記載の発明にかかる閃光機能付撮像装置にあっては、前記撮像装置はさらにズーム手段を備え、前記状態検出手段は、前記ズーム手段のズーム状態を検出する。したがって、当該撮像装置のズーム状態に基づいて、複数個の発光手段の発光量が決定されることとなり、これにより被写体の不要な部分に光を照射したり、近くの被写体に過剰な光を照射する等を回避して、消費電力の低減を図りつつ、過不足のない最適により近い状態の明るさにして撮像を行うことができる。
【００１７】
また、請求項１１記載の発明にかかる閃光機能付撮像装置にあっては、前記複数個の発光手段は、各々放射光の拡散方向が異なった方向に設定されている。したがって、決定手段により決定された発光量で発光手段を発光させた場合、特定の方向の放射光を強くしたり、あるいは、特定の方向の放射光のみを放射させたりすることができ、これにより、前記特定の測光エリア、前記フレーム内に被写体の一部、前記フレームに対応する被写体部分に適切な照明を行うことができる。
【００１８】
また、請求項１２記載の発明にかかる閃光機能付撮像装置にあっては、前記複数の発光手段は、前記撮像装置が有するレンズを中心にして同心円状に配置されている。したがって、複数の発光手段からの光を放射状に照射して、ストロボを使用した場合と同様の被写体に対する光放射状態を形成することができる。
【００１９】
また、請求項１３記載の発明にかかる閃光機能付撮像装置にあっては、前記複数の発光手段は、直線上に配置されている。したがって、撮像される矩形の画像に沿った方向に光を照射して、撮像時に適切な補助光効果を発生させることができる。
【００２０】
また、請求項１４記載の発明にかかる閃光機能付撮像装置にあっては、前記複数の発光手段は、発光色の異なるものを含む。したがって、点灯させる発光手段の組み合わせにより、ストロボと同様の白色光を照射させることができるのみならず、有色光を照射して、擬似的なカラーフィルター効果を発生させることもできる。
【００２１】
また、請求項１５記載の発明にかかる閃光機能付撮像装置にあっては、前記複数の発光手段は、発光ダイオードであり、よって、一層の省電力化が可能となる。
【００２２】
また、請求項１６記載の発明にかかる閃光機能付撮像装置にあっては、当該撮像装置の状態を検出する状態検出ステップと、前記状態検出ステップでの検出結果に基づいて、発光部が備える複数個の発光手段それぞれの発光量を決定する決定ステップと、撮像動作に伴って、前記決定ステップにより決定された発光量で前記発光手段それぞれを発光させる制御ステップとを含む。したがって、記載したステップに従って処理を実行することにより、請求項１記載の発明と同様の作用効果を奏する。
【発明の効果】
【００２３】
以上説明したように本発明によれば、当該撮像装置の状態に基づいて複数個の発光手段の発光量を予め決定し、撮像時にはこの予め決定されている発光量で発光手段を発光させることにより、撮像時には、複数の発光手段の全てあるいは一部等、当該撮像装置の状態に応じた必要数の発光手段を点灯させて、必要な明るさを確保することが可能となる。したがって、従来のストロボのように、単一の発光手段で撮像時に所要の明るさを確保する放電管や、それに供給する電力を得るための昇圧トランス、コンデンサ、トリガコイル等を用いる必要はなく、よって、部品点数少なくし、小型かつ省電力化が可能となるとともに、ノイズ対策等が不要となる。
【００２４】
また、当該撮像装置が設定する測光エリアの状態に基づいて、複数個の発光手段の発光量が決定されることにより、測光エリアを過不足のない最適により近い状態の明るさにして撮像を行うことができる。
【００２５】
また、被写体画像を複数に区分した複数の各測光エリアの状態に基づいて、複数個の発光手段の発光量が決定されることにより、各測光エリアの全てを過不足のない最適により近い状態の明るさにして撮像を行うことができる。
【００２６】
また、撮影補助フレーム表示が選択されていると、複数個の発光手段の発光量が予め決定されて、撮像時には決定されている発光量で発光手段を発光させることにより、フレーム内に被写体の一部を特定配置して撮像を行った際に、この特定配置に対応した発光が可能となり、最適により近い状態の明るさで特定配置した被写体を撮像することができる。
【００２７】
また、選択された撮影補助フレームに応じて発光手段の発光量を決定することにより、複数種の撮影補助フレームのうちいずれが選択されても、フレーム内に被写体の一部を特定配置して撮像を行った際に、この特定配置に対応した発光が可能となり、最適により近い状態の明るさで特定配置した被写体を撮像することができる。
【００２８】
また、オートフォーカス手段の作動時に、前記フレームに対応する被写体部分を対象に、発光手段を発光させることにより、少ない電力消費で効率的に重要なフレームに対応する被写体部分に所要の明るさを確保して、オートフォーカス制御を行うことができる。これによって、薄暗いためＡＦ動作し難い環境下においても、少ない消費電力で重要な被写体部分に対するＡＦを確実に行うことができる。
【００２９】
また、当該撮像装置の向きに基づいて、複数個の発光手段の発光量が決定されることにより、当該撮像装置の向き如何なる方向であっても、最適により近い状態の明るさにして撮像を行うことができる。
【００３０】
また、撮像装置の向きに応じて、レンズよりも上方に位置する発光手段の発光量が下方に位置する発光手段の発光量よりも多くなるように発光量の決定を行うことにより、撮像装置を縦横どちらに構えた時でも、最適な発光を行え、好ましい画像を撮像することができる。
【００３１】
また、オートフォーカス評価を行う被写体箇所を対象に複数の発光手段を発光させることにより、少ない電力消費で効率的に前記被写体箇所に所要の明るさを確保して、オートフォーカス制御を行うことができる。これによって、薄暗いためＡＦ動作し難い環境下においても、少ない消費電力でオートフォーカス評価を行う被写体箇所に対するＡＦを確実に行うことができる。
【００３２】
また、当該撮像装置のズーム状態に基づいて、複数個の発光手段の発光量が決定されることにより、被写体の不要な部分に光を照射したり、近くの被写体に過剰な光を照射する等を回避して、消費電力の低減を図りつつ、過不足のない最適により近い状態の明るさにして撮像を行うことができる。
【発明を実施するための最良の形態】
【００３３】
以下、本発明の一実施の形態を図にしたがって説明する。
（第１の実施の形態）
図１〜３は、各実施の形態に共通する電子スチルカメラ１の外観を示す図であって、図１は正面図、図２は平面図、図３は背面図である。
【００３４】
図１に示すように電子スチルカメラ１は、カメラ本体２の正面側にレンズ３、周囲の明るさを検出する調光センサ４、及び閃光装置５を有する。この閃光装置５は、レンズ３を中心にして同心円状に配置された内側の第１〜第６ＬＥＤ５１〜５６、中間の第７〜第１２ＬＥＤ５７〜６２、外側の第１３〜第１８ＬＥＤ６３〜６８で構成されている。これら第１〜第１８ＬＥＤ５１〜６８は、各々発光色が赤（Ｒ）である赤色ＬＥＤ、発光色が緑（Ｇ）である緑色ＬＥＤ、及び発光色が青（Ｂ）である青色ＬＥＤをＲ、Ｇ、Ｂ、Ｒ、Ｇ、Ｂの順序で等間隔に配置して構成されている。また、図２に示すように、これら１８個のＬＥＤ５１〜６８は、その放射光の拡散方向が各々異なった方向に設定されており、しかも後述するＭＰＵ１９の制御により、個々に点灯及び消灯が可能であるのみならず、個々に発光量も可変である。
【００３５】
図２に示すようにカメラ本体２の上面には、撮影ダイアル６、電源／ファンクションスイッチ７、シャッターキー８、コントロールパネル９、及びオートフォーカスモードとマニュアルモードとの設定等に使用される複数の機能キー１０、シーソー型のキーからなるズームキー３５が設けられている。撮影ダイアル６は、後述するフローチャートに示す各種撮影モードを設定するためのダイアルである。また、図３に示すように背面には、メニューキー１１、カーソルキー１２、セットキー１３、液晶モニター・スイッチ１４、光学ファインダ１５、及びＴＦＴ液晶モニター１６が設けられている。
【００３６】
図４は、電子スチルカメラ１の電気的構成の概略を示すブロック構成図である。電子スチルカメラ１は、レンズ３等とともに撮像手段を構成するＣＣＤ１７により撮像した画像をＪＰＥＧ形式に変換する等の画像処理機能を備えたＭＰＵ１９を中心に構成されている。ＣＣＤ１７の受光面には、前記レンズ３、フォーカスレンズ２０、絞り２１を通過して被写体の光学像が結像される。
【００３７】
レンズ３は、複数枚のレンズを有し焦点距離の可変（変倍）、及び光学特性の補正が可能なズームレンズであって、ズーミンモータ等からなる駆動機構３３に保持されている。そして、前記ズームキー３５の操作に応じてＭＰＵ１９が制御信号をズームドライバ２４に出力し、ズームドライバ２４が駆動信号を駆動機構２３に供給することにより、レンズ３がズーム駆動される。フォーカスレンズ２０はＡＦモータ等からなる駆動機構２２に保持されており、ＭＰＵ１９からの制御信号によりＡＦドライバー２３が出力する駆動信号が駆動機構２２に供給されることにより、光軸上を前後に移動する合焦動作を行う。絞り２１は、ＭＰＵ１９からの制御信号に基づき絞り駆動部２４が発生する駆動信号により駆動し、ＣＣＤ１７に入射する被写体像の光量を調整する。
【００３８】
また、ＭＰＵ１９には、タイミング信号を発生するＴＧ（Timing Generator）２５が接続されており、ＴＧ２５が発生したタイミング信号に基づきＶドライバー２６（垂直方向ドライバー）がＣＣＤ１７を駆動し、それに伴いＣＣＤ１７により被写体像の輝度に応じたアナログの撮像信号が出力されユニット回路１８へ送られる。ユニット回路１８は、ＣＣＤ１７から出力された撮像信号を保持するＣＤＳと、ＣＤＳから撮像信号を供給されるアナログアンプであるゲイン調整アンプ（ＡＧＣ）と、ゲイン調整アンプに増幅され調整された撮像信号を画像データに変換するＡ／Ｄ変換器（ＡＤ）とからなり、ＣＣＤ１７の出力信号は、ここで黒レベルを合わせてサンプリングされデジタル信号としてＭＰＵ１９に送られる。送られたデジタル信号（撮像信号）はＤＲＡＭ２７に一時保存されるとともに、ＭＰＵ１９によって各種の画像処理が施された後、最終的には圧縮された映像信号としてフラッシュメモリ（ＦＬＡＳＨ）２８に保存される。保存された映像信号は、必要に応じてＭＰＵ１９に読み出され、伸長処理、輝度信号及び色信号の付加等の処理を経てデジタルビデオ信号やアナログビデオ信号に生成される。
【００３９】
さらに、ＭＰＵ１９にはＭＲＯＭ２９と、電源回路３０、図１〜３に示した各種のキーやスイッチを含む操作キー部３１、向きセンサ３２、前記ＴＦＴ液晶モニター１６、前記調光センサ４及び閃光装置５が接続されている。ＭＲＯＭ２９は、後述するフローチャートに示すＭＰＵ１９の動作プログラム等が記録されたプログラムＲＯＭである。また、ＭＲＯＭ２９には撮影時の適正な露出値（ＥＶ）に対応する絞り値（Ｆ）とシャッタースピードとの組み合わせを示すプログラム線図を構成するプログラムＡＥデータが格納されている。
【００４０】
ＭＰＵ１９は、内蔵するＲＡＭをワーキングメモリとして前記動作プログラムに従い動作することにより本発明の制御手段として機能する。また、前記プログラム線図に従って前記ＣＣＤ１７の電荷蓄積時間や、前記絞り２１の開放度、前記ユニット回路１８のゲイン調整アンプ（ＡＧＣ）のゲイン設定等を行う。ＭＰＵ１９が設定した電荷蓄積時間はシャッターパルスとして、ＴＧ２５を介してＶドライバー２６に供給され、これに従いＶドライバー２６がＣＣＤ１７を駆動することにより電荷蓄積時間すなわち露光時間が制御される。つまりＣＣＤ１７は電子シャッターとして機能する。また、ＭＲＯＭ２９に格納された動作プログラムには、オートフォーカス制御に関するプログラムが含まれており、かかるプログラムに基づきＭＰＵ１９は、前記フォーカスレンズ２０を駆動させピント合わせ（オートフォーカス）を行う。
【００４１】
ＴＦＴ液晶モニター１６は、録画モードにおいては逐次撮像された画像をスルー画像として表示し、再生モードにおいては前記フラッシュメモリ２８に記録された画像データから生成されたアナログビデオ信号に基づく映像を表示する。向きセンサ３２は、後述する第３の実施の形態で用いられるものであって、撮像時におけるカメラ本体２の向きが、横向き（図１の状態）であるか縦向きであるかを検出する。
【００４２】
なお、前述したＭＲＯＭ２９に記憶されているプログラムデータ等は、その記録内容の保持が可能であれば、別途固定的に設けたもの、若しくは脱着自在に装着可能なＩＣカード等の他の記録媒体に記録される構成にしてもよく、さらに、前記プログラムデータ等をパソコン等の他の機器から供給可能な構成としてもよい。
【００４３】
次に、以上の構成からなる電子スチルカメラ１の第１の実施の形態における動作について説明する。電源／ファンクションスイッチ７が操作されて電源がオンとなっており、かつ、撮影ダイアル６の操作によりマルチ測光モードが設定されている状態において、ＭＰＵ１９は、ＭＲＯＭ２９に格納されているプログラムに従って図５のフローチャートに示す手順で処理を実行する。すなわち、シャッターキー８が半押しされるまで待機し（ステップＳＡ１）、シャッターキー８が半押しされたならば、被写体画像データから測光エリア（１）〜（９）毎の明るさを検出する（ステップＳＡ２）。すなわち、図６に示すように、マルチ測光モードにおいてはＣＣＤ１７の受光面に結像された被写体画像データＤは、測光エリア（１）〜（９）に区分される。そして、ステップＳＡ２では、被写体画像データＤから測光エリア（１）〜（９）毎の明るさを検出する。
【００４４】
次に、この検出した各測光エリア（１）〜（９）の明るさに基づき、撮像された画像が各測光エリア（１）〜（９）において最適の明るさとなる各ＬＥＤ５１〜６８の発光強度を算出する（ステップＳＡ３）。この各ＬＥＤ５１〜６８の発光強度は、相対値として算出する。
【００４５】
さらに、調光センサ４の検出結果、つまり周囲の明るさに基づき、ＬＥＤ５１〜６８からなる閃光装置５の全発光量を算出する（ステップＳＡ４）。そして、このステップＳＡ４で算出した全発光量と、前述のステップＳＡ３で算出した各ＬＥＤ５１〜６８の発光強度とに基づき、各ＬＥＤ５１〜６８の発光量を算出する（ステップＳＡ５）。すなわち、全てのＬＥＤ５１〜６８による発光量がステップＳＡで算出された全発光量となるように、各ＬＥＤ５１〜６８の発光量をステップＳＡ２で算出した相対値に基づき算出する。
【００４６】
そして、シャッターキー８が全押しされたならば（ステップＳＡ６；ＹＥＳ）、前記ステップＳＡ５で算出された発光量で各ＬＥＤ５１〜６８を発光させて（ステップＳＡ７）、撮像処理を実行し、ＣＣＤ１７の受光面に結像された被写体の光学像を、最終的に圧縮された映像信号としてフラッシュメモリ２８に保存する（ステップＳＡ８）。これにより、全測光エリア（１）〜（９）を最適な明るさにより近い状態で撮像することができる。
【００４７】
しかも、撮像時には、第１〜第１８ＬＥＤ５１〜６８のいずれか又は全てを点灯させることにより、必要な明るさを確保することが可能となることから、従来のストロボのように、単一の発光手段で撮像時に必要な明るさを確保する放電管や、それに供給する電力を得るための昇圧トランス、コンデンサ、トリガコイル等を用いる必要はない。よって、部品点数少なくし、小型かつ省電力化が可能となるとともに、ノイズ対策等が不要となる。
【００４８】
なお、ステップＳＡ３において撮像された画像が各測光エリア（１）〜（９）において最適の明るさとなる各ＬＥＤ５１〜６８の発光強度を算出するに際しては、画像の中心部分の測光エリアに重み付けを行ってもよい。また、この実施の形態では、被写体画像を測光エリア（１）〜（９）に区分するようにしたが、これ以下あるいはこれ以上の数に区分するようにしてもよい。
【００４９】
（第２の実施の形態）
図７〜図９は、本発明の第２の実施の形態を示すものである。この実施の形態において前記ＭＲＯＭ２９は、ＭＰＵ１９の動作プログラム及び前記プログラムＡＥデータとともに、撮影補助フレームデータが格納されている。この撮影補助フレームデータは、図７に示すように、ＴＦＴ液晶モニター１６に撮影補助フレームＡ，Ｂ，Ｃ・・・のいずれかを表示させるためのデータである。これら撮影補助フレームＡ，Ｂ，Ｃ・・・は、ＴＦＴ液晶モニター１６の一部に人型の枠からなるフレーム１６１を表示し、このフレーム１６１内に被写体の人物を位置させることにより、人物と背景とをバランスよく撮像できるように構成されている。
【００５０】
さらに、ＭＲＯＭ２９には、図８に示すテーブル２９１が格納されている。このテーブル２９１には、前記フレームＡ，Ｂ，Ｃ・・・毎に、第１〜第１８ＬＥＤ５１〜６８の発光パターンが記憶されている。この発光パターンは、対応するフレームを使用して撮像を行った際に、例えば被写体の人物を左側に位置させるフレームＡの場合、左側に明るさのポイントを置いた発光パターンとする等、フレーム１６１内の人物と背景との明るさのバランスが最適となる第１〜第１８ＬＥＤ５１〜６８の発光強度が相対値で記憶されている。
【００５１】
以上の構成にかかる本実施の形態において、電源／ファンクションスイッチ７が操作されて電源がオンとなっており、かつ、撮影ダイアル６の操作により撮影補助フレームモードが設定されていると、ＭＰＵ１９は、ＭＲＯＭ２９に格納されているプログラムに従って図９のフローチャートに示す手順で処理を実行する。すなわち、いずれかの撮影補助フレームが選択されたか否かを判断する（ステップＳＢ１）。いずれかの撮影補助フレームが選択されたならば、ＴＦＴ液晶モニター１６のスルー画像に重ねて、選択された撮影補助フレームを表示する（ステップＳＢ２）。
【００５２】
次に、撮像時に発光するか否かを判断する（ステップＳＢ３）。そして、調光センサ４により検出された明るさに基づき、ＭＰＵ１９が閃光装置５の発光を不要とした場合、及びマニュアル操作により発光停止が設定されている場合（ステップＳＢ３；ＮＯ）には、ステップＳＢ３からステップＳＢ４に進む。このステップＳＢ４でシャッターキー８が操作されたか否かを判断し、シャッターキー８が操作されたならば、撮像処理を実行し、ＣＣＤ１７の受光面に結像された被写体の光学像を、最終的に圧縮された映像信号としてフラッシュメモリ２８に保存する（ステップＳＢ１１）。
【００５３】
また、ステップＳＢ３での判断の結果、調光センサ４により検出された明るさに基づき、ＭＰＵ１９が閃光装置５の発光を必要とした場合、及びマニュアル操作により強制発光が設定されている場合（ステップＳＢ３；ＹＥＳ）には、シャッターキー８が半押しされたか否かを判断する（ステップＳＢ５）。シャッターキー８が半押しされたならば、テーブル２９１から、ステップＳＢ１で選択を判断された撮影補助フレームに対応する第１〜第１８ＬＥＤ５１〜６８の発光強度（相対値）を読み出す（ステップＳＢ６）。
【００５４】
さらに、調光センサ４の検出結果、つまり周囲の明るさに基づき、ＬＥＤ５１〜６８からなる閃光装置５の全発光量を算出する（ステップＳＢ７）。そして、このステップＳＢ７で算出した全発光量と、前述のステップＳＢ６で読み出した各ＬＥＤ５１〜６８の発光強度とに基づき、各ＬＥＤ５１〜６８の発光量を算出する。すなわち、前述のように全てのＬＥＤ５１〜６８による発光量がステップＳＡで算出された全発光量となるように、各各ＬＥＤ５１〜６８の発光量をステップＳＡ２で算出した相対値に基づき算出する（ステップＳＢ８）。
【００５５】
そして、シャッターキー８が全押しされたならば（ステップＳＢ９；ＹＥＳ）、前記ステップＳＢ８で算出された発光量で各ＬＥＤ５１〜６８を発光させて（ステップＳＢ１０）、撮像処理を実行し、ＣＣＤ１７の受光面に結像された被写体の光学像を、最終的に圧縮された映像信号としてフラッシュメモリ２８に保存する（ステップＳＢ１１）。これにより、各フレームＡ，Ｂ，Ｃ・・・を用いて被写体を特定配置した場合に、特定配置した被写体と背景との明るさのバランスが最適な画像を撮像することができる。
【００５６】
（第２の実施の形態の変形例）
図１０は、本発明の第２の実施の形態の変形例を示すものである。電源／ファンクションスイッチ７が操作されて電源がオンとなっており、かつ、撮影ダイアル６の操作により撮影補助フレームモードが設定されていると、ＭＰＵ１９は、ＭＲＯＭ２９に格納されているプログラムに従って図１０のフローチャートに示す手順で処理を実行する。すなわち、いずれかの撮影補助フレームが選択されたか否かを判断する（ステップＳＣ１）。いずれかの撮影補助フレームが選択されたならば、ＴＦＴ液晶モニター１６のスルー画像に重ねて、選択された撮影補助フレームを表示する（ステップＳＣ２）。
【００５７】
次に、予め機能キー１０が操作されることにより、オートフォーカスモードが設定されているか否かを判断する（ステップＳＣ３）。オートフォーカスモードが設定されておらず（ステップＳＣ３；ＮＯ）、マニュアルモードが設定されている場合には、操作入力に応じてフォーカスレンズ２０を駆動する等のマニュアルモード処理を実行する（ステップＳＣ１４）。そして、シャッターキー８が操作された時点で（ステップＳＣ１５；ＹＥＳ）、撮像処理を実行して、ＣＣＤ１７の受光面に結像された被写体の光学像を、最終的に圧縮された映像信号としてフラッシュメモリ２８に保存する（ステップＳＣ１３）。
【００５８】
また、ステップＳＣ３での判断の結果、オートフォーカスモードが設定されている場合には、シャッターキー８が半押しされるまで待機する（ステップＳＣ４）。シャッターキー８が半押しされたならば（ステップＳＣ４；ＹＥＳ）、調光センサ４が検出している周囲の明るさが所定以下であるか否かを判断する（ステップＳＣ５）。周囲の明るさが所定以下である場合には、被写体のフレーム１６１に対応する部分を対象にＬＥＤ５１〜６８を点灯させる（ステップＳＣ６）。
【００５９】
つまり、この変形例においては、前述の図８に示したテーブル２９１以外に、撮影補助フレームに対応して、被写体のフレーム１６１に対応する部分を対象に照明する際に点灯すべきＬＥＤ５１〜６８及びその光量が記憶されたテーブル（図示せず）が設けられている。そして、このテーブルから点灯すべきＬＥＤ５１〜６８及びその光量を読み出して点灯を行う。
【００６０】
次に、被写体のフレーム１６１に対応した対象にＡＦ評価を行う（ステップＳＣ７）。すなわち、前述のステップＳＣ６の処理で、被写体のフレーム１６１に対応する部分が照明されると、ＭＰＵ１９は、ＭＲＯＭ２９に格納されているオートフォーカス制御に関するプログラムに基づき、フォーカスレンズ２０を駆動させ、被写体のフレーム１６１に対応する部分にピント合わせ（合焦）を行う。したがって、必要な一部のＬＥＤのみを発光させることにより、少ない電力消費で被写体のフレーム１６１に対応する部分に所要の明るさを確保して、オートフォーカス制御を行うことができ、これにより省電力化が可能となる。
【００６１】
次に、前述と同様に、テーブル２９１から、ステップＳＣ１で選択を判断された撮影補助フレームに対応する第１〜第１８ＬＥＤ５１〜６８の発光強度（相対値）を読み出す（ステップＳＣ８）。さらに、調光センサ４の検出結果、つまり周囲の明るさに基づき、ＬＥＤ５１〜６８からなる閃光装置５の全発光量を算出する（ステップＳＣ９）。このステップＳＣ９で算出した全発光量と、前述のステップＳＣ８で読み出した各ＬＥＤ５１〜６８の発光強度とに基づき、各ＬＥＤ５１〜６８の発光量を算出する（ステップＳＣ１０）。
【００６２】
そして、シャッターキー８が全押しされたならば（ステップＳＣ１１；ＹＥＳ）、前記ステップＳＣ８で算出された発光量で各ＬＥＤ５１〜６８を発光させて（ステップＳＣ１２）、撮像処理を実行し、ＣＣＤ１７の受光面に結像された被写体の光学像を、最終的に圧縮された映像信号としてフラッシュメモリ２８に保存する（ステップＳＣ１３）。これにより、各フレームＡ，Ｂ，Ｃ・・・を用いて被写体を特定配置した場合に、特定配置した被写体にピントが合った最適な画像を撮像することができる。
【００６３】
（第３の実施の形態）
図１１は、本発明の第３の実施の形態を示すものである。電源／ファンクションスイッチ７が操作されて電源がオンとなっており、かつ、撮影ダイアル６の操作により向き検出有効モードが設定されていると、ＭＰＵ１９は、ＭＲＯＭ２９に格納されているプログラムに従って図１１のフローチャートに示す手順で処理を実行する。すなわち、前述のステップＳＢ３と同様にして、撮像時に発光すべきか否かを判断する（ステップＳＤ１）。そして、発光すべきでない場合には、ステップＳＤ１からステップＳＤ１０に進む。このステップＳＤ１０でシャッターキー８が操作されたか否かを判断し、シャッターキー８が操作されたならば、撮像処理を実行し、ＣＣＤ１７の受光面に結像された被写体の光学像を、最終的に圧縮された映像信号としてフラッシュメモリ２８に保存する（ステップＳＤ９）。
【００６４】
また、ステップＳＤ１での判断の結果、発光すべき場合には、シャッターキー８が半押しされたか否かを判断する（ステップＳＤ２）。シャッターキー８が半押しされたならば、向きセンサ３２が検出しているカメラ本体２の向き（横向き又は縦向き）を取得する（ステップＳＤ３）。さらに、テーブルからカメラ本体２の向きに対応する各ＬＥＤ５１〜６８の発光強度を読み出す（ステップＳＤ４）。
【００６５】
すなわち、基本的に、被写体側から見た閃光装置の位置は、相対的に撮像レンズよりも上方に位置する方が（被写体の影がその直後の壁等に大きく投影された撮像画像とならず）好ましい撮像画像が得られるとされている。そこで、本実施の形態では、ＬＥＤ５１〜６８のうち、カメラ本体２を横向きにした場合にレンズ３よりも上方となるＬＥＤとその発光強度（相対値）、及びカメラ本体２を縦向きにした場合にレンズ３よりも上方となるＬＥＤとその発光強度（相対値）とが記憶されたテーブル（図示せず）を、ＭＰＵ１９の動作プログラム及び前記プログラムＡＥデータとともに、前記ＭＲＯＭ２９に格納してある。そして、このステップＳＤ４では、ステップＳＤ３で取得したカメラ本体２の向きに応じて、カメラ本体２を横向きにした場合にレンズ３よりも上方となるＬＥＤとその発光強度、又はカメラ本体２を縦向きにした場合にレンズ３よりも上方となるＬＥＤとその発光強度を、テーブルから読み出す。
【００６６】
さらに、前述と同様に調光センサ４の検出結果、つまり周囲の明るさに基づき、ＬＥＤ５１〜６８からなる閃光装置５の全発光量を算出する（ステップＳＤ５）。そして、このステップＳＤ５で算出した全発光量と、前述のステップＳＤ４で読み出した各ＬＥＤ５１〜６８の発光強度（相対値）とに基づき、各ＬＥＤ５１〜６８の発光量を算出する（ステップＳＤ６）。
【００６７】
しかる後に、シャッターキー８が全押しされたならば（ステップＳＤ７；ＹＥＳ）、前記ステップＳＤ６で算出された発光量で各ＬＥＤ５１〜６８を発光させて（ステップＳＤ８）、撮像処理を実行し、ＣＣＤ１７の受光面に結像された被写体の光学像を、最終的に圧縮された映像信号としてフラッシュメモリ２８に保存する（ステップＳＤ９）。これにより、カメラ本体２を縦横どちらに構えた時でも、最適な発光を行え、好ましい画像を撮像することができる。
【００６８】
（第３の実施の形態の変形例）
図１２は、本発明の第３の実施の形態の変形例を示すものである。すなわち、前撮像時に発光すべきか否かを判断し（ステップＳＥ１）、発光すべきでない場合には、ステップＳＥ１からステップＳＥ１３に進む。このステップＳＥ１３でシャッターキー８が操作されたか否かを判断し、シャッターキー８が操作されたならば、撮像処理を実行する（ステップＳＥ１２）。
【００６９】
また、ステップＳＥ１での判断の結果、発光すべき場合には、シャッターキー８が半押しされたか否かを判断する（ステップＳＥ２）。シャッターキー８が半押しされたならば、向きセンサ３２が検出しているカメラ本体２の向き（横向き又は縦向き）を取得する（ステップＳＥ３）。次に、この検出したカメラ本体２の向に応じて、被写体においてＡＦ評価を行う箇所を設定し（ステップＳＥ４）、この設定した箇所を対象にＬＥＤ５１〜６８を点灯させる（ステップＳＥ５）。
【００７０】
つまり、この変形例においては、前述のステップＳＤ８で用いたテーブル以外に、カメラ本体２の向きに応じて設定されるＡＦ評価を行う箇所に対応して、当該箇所を対象に照明する際に点灯すべきＬＥＤ５１〜６８及びその光量が記憶されたテーブル（図示せず）が設けられている。そして、このテーブルから点灯すべきＬＥＤ５１〜６８及びその光量を読み出して点灯を行う。
【００７１】
次に、当該箇所にＡＦ評価を行う（ステップＳＥ６）。すなわち、前述のステップＳＥ５の処理で、カメラ本体２の向きに応じて設定されたＡＦ評価を行う箇所が照明されると、ＭＰＵ１９は、ＭＲＯＭ２９に格納されているオートフォーカス制御に関するプログラムに基づき、フォーカスレンズ２０を駆動させ、被写体の当該箇所にピント合わせ（合焦）を行う。したがって、必要な一部のＬＥＤのみを発光させることにより、少ない電力消費で被写体の所要箇所に所要の明るさを確保して、オートフォーカス制御を行うことができ、これにより省電力化が可能となる。
【００７２】
そして、以降のステップＳＥ７〜ＳＥ１２では、前述した図１１のフローチャートにおけるステップＳＤ４〜ＳＤ９と同様の処理を実行する。これにより、カメラ本体２を縦横どちらに構えた時でも、最適な発光を行え、かつカメラ本体２の向きに応じた最適箇所にピントが合った好ましい画像を撮像することができる。
【００７３】
（第４の実施の形態）
図１３は、本発明の第４の実施の形態を示すものである。電源／ファンクションスイッチ７が操作されて電源がオンとなっていると、ＭＰＵ１９は、ＭＲＯＭ２９に格納されているプログラムに従って図１３のフローチャートに示す手順で処理を実行する。すなわち、前述のステップＳＢ３と同様にして、撮像時に発光すべきか否かを判断する（ステップＳＦ１）。そして、発光すべきでない場合には、ステップＳＦ１からステップＳＦ１０に進む。このステップＳＦ１０でシャッターキー８が操作されたか否かを判断し、シャッターキー８が操作されたならば、撮像処理を実行し、ＣＣＤ１７の受光面に結像された被写体の光学像を、最終的に圧縮された映像信号としてフラッシュメモリ２８に保存する（ステップＳＦ９）。
【００７４】
また、ステップＳＦ１での判断の結果、発光すべき場合には、シャッターキー８が半押しされたか否かを判断する（ステップＳＦ２）。シャッターキー８が半押しされたならば、ズーム状態を検出する（ステップＳＦ３）。つまり、撮影者がズームキー３５を操作すると、これに応じてＭＰＵ１９が制御信号をズームドライバ２４に出力し、ズームドライバ２４が駆動信号を駆動機構２３に供給することにより、レンズ３がズーム駆動される。このとき、ＭＰＵ１９前記制御信号に基づきレンズ３のズーム状態（焦点距離、あるいはレンズによる拡大倍率等）を検出する。さらに、テーブルからズーム状態に対応するＬＥＤ５１〜６８の発光強度を読み出す（ステップＳＦ４）。すなわち、この実施の形態においては、例えばズーム動作に伴うレンズ３の拡大倍率に対応して、発光させるべきＬＥＤ５１〜６８とその発光強度（相対値）とが記憶されたテーブル（図示せず）が、ＭＰＵ１９の動作プログラム及び前記プログラムＡＥデータとともに、前記ＭＲＯＭ２９に格納してある。そして、このステップＳＦ４では、ステップＳＦ３で検出したズーム状態に対応して発光させるべきＬＥＤとその発光強度を、テーブルから読み出す。
【００７５】
さらに、前述と同様に調光センサ４の検出結果、つまり周囲の明るさに基づき、ＬＥＤ５１〜６８からなる閃光装置５の全発光量を算出する（ステップＳＦ５）。そして、このステップＳＦ５で算出した全発光量と、前述のステップＳＦ４で読み出した配送させるべき各ＬＥＤとその発光強度（相対値）とに基づき、各ＬＥＤ５１〜６８の発光量を算出する（ステップＳＦ６）。
【００７６】
しかる後に、シャッターキー８が全押しされたならば（ステップＳＦ７；ＹＥＳ）、前記ステップＳＦ６で算出された発光量で各ＬＥＤ５１〜６８を発光させて（ステップＳＦ８）、撮像処理を実行し、ＣＣＤ１７の受光面に結像された被写体の光学像を、最終的に圧縮された映像信号としてフラッシュメモリ２８に保存する（ステップＳＦ９）。これにより、ズーム状態に応じて異なる被写体の撮像範囲のみに光を照射して、不要部分まで光を照射することを回避し、消費電力の削減を図ることができる。
【００７７】
図１４〜図２２は、前記ステップＳＡ７（図５）、ステップＳＢ１０（図９）、ステップＳＣ１２（図１０）、ステップＳＤ８（図１１）、ステップＳＥ１１（図１２）、ステップＳＦ８（図１３）において、算出された発光量で各ＬＥＤを発光させる場合の制御例を示すものである。
【００７８】
（第１の制御例）
すなわち、前述した各フローで第１〜第１８ＬＥＤ５１〜６８の発光量が算出されると、この発光量を取得し（ステップＳＧ１）、これに基づき、当該発光量でＬＥＤを発光さるための第１〜第１８ＬＥＤのパルス駆動回数（発光回数）１ｎ〜１８ｎを個別に演算する（ステップＳＧ２）。しかる後、図１５に示したように、各ＬＥＤを一斉に演算した発光回数ｎだけパルス駆動する（ステップＳＧ３）。
【００７９】
これにより、各ＬＥＤの各々の合計発光時間Ｔｒ，Ｔｇ，Ｔｂ（実際には電流が流れる部分の積分である）の割合が制御され、このとき発光した全てＬＥＤからの光で構成されるストロボ光が、算出された光量となったり、一部のＬＥＤの光量比率が高くして発光されることとなる。
【００８０】
（第２の制御例）
この第２の制御例においても、図１６のフローチャートに示すように、第１〜第１８ＬＥＤ５１〜６８の発光量が算出されると、この発光量を取得し（ステップＳＨ１）、それに基づき、所定時間Ｔ内における第１〜第１８ＬＥＤの各々の発光回数（パルス駆動回数）１ｎ〜１８ｎを個別に演算する（ステップＳＨ２）。さらに、ＭＰＵ１９は、演算した発光回数１ｎ〜１８ｎに対応する、所定時間Ｔ内でのパルス駆動間隔（駆動周期）１ｉ〜１８ｉを演算し（ステップＳＨ３）、しかる後、図１７に示したように、所定時間Ｔ内に、演算したパルス駆動間隔１ｉ，２ｉ、３ｉ・・・でＬＥＤを演算した発光回数１ｎ、２ｎ、３ｎ・・・だけ周期的に駆動する（ステップＳＨ４）。
【００８１】
これにより、所定時間Ｔ内においては各ＬＥＤの個々の合計発光時間（実際には電流が流れる部分の積分値）の割合が制御され、このとき発光したＬＥＤの全てからの光で構成される光量が、算出された光量となったり、一部のＬＥＤの光量比率が高くして発光されることとなる。
【００８２】
（第３の制御例）
この第３の制御例においても、図１８のフローチャートに示すように、第１〜第１８ＬＥＤ５１〜６８の発光量が算出されると、この発光量を取得し（ステップＳＩ１）、それに基づき、所定時間Ｔ内における第１〜第１８ＬＥＤの各々の駆動時間（発光時間）１ｔ〜１８ｔを個別に演算する（ステップＳＩ２）。しかる後、図１９に示したように各ＬＥＤを一斉に駆動し、各ＬＥＤを演算した時間１ｔ、２ｔ、３ｔ・・・に達するまで連続駆動する（ステップＳＩ３）。
【００８３】
これにより、所定時間Ｔ内においてはＬＥＤの各々の発光時間の割合が制御され、このとき発光したＬＥＤの全てからの光で構成される光量が、算出された光量となったり、一部のＬＥＤの光量比率が高くして発光されることとなる。
【００８４】
（第４の制御例）
この第４の制御例においても、第１〜第１８ＬＥＤ５１〜６８の発光量が算出されると、この発光量を取得し（ステップＳＪ１）、これに基づき、所定時間Ｔ内における第１〜第１８ＬＥＤの各々の駆動時間（発光時間）１ｔ〜１８ｔを個別に演算する（ステップＳＪ２）。さらに、ＭＰＵ１９は、赤色ＬＥＤの駆動時間（露出時間）ｔｒ内に緑色ＬＥＤと青色ＬＥＤを時分割で駆動するための１回の駆動時間ｄＧ，ｄＢと駆動間隔ｉＧ，ｉＢとを演算し（ステップＳＪ３）、しかる後、図２１に示したように、所定時間Ｔ内に赤色ＬＥＤを連続駆動するとともに、緑色ＬＥＤと青色ＬＥＤとを、演算した駆動間隔ｉＧ，ｉＢで演算した駆動時間ｄＧ，ｄＢずつ間欠駆動する（ステップＳ４Ｊ４）。
【００８５】
これにより、所定時間Ｔ内において各ＬＥＤの個々の合計発光時間（電流が流れる部分の積分値）の割合が制御され、このとき発光したＬＥＤの全てからの光で構成されるストロボ光が、算出された光量となったり、一部のＬＥＤの光量比率が高くして発光されることとなる。
【００８６】
（第５の制御例）
【００８７】
この第５の制御例においては、図２２に示したタイミングで、各ＬＥＤに対しパルス電流を供給する。すなわち各発光色のＬＥＤを、それぞれの発光タイミングが重複しないように時分割で個別にパルス駆動する。これにより、閃光装置５にあっては、各発光色のＬＥＤが所定時間Ｔ内において、各々の発光タイミングがずれた状態でＲ，Ｇ，Ｂを１周期として連続してパルス発光し、それにより、各ＬＥＤが同時に点灯させたときと同等の色のストロボ光（各ＬＥＤ混合光）が得られることとなる。このとき、発光デューティを変更することにより、発光した全てのＬＥＤからの光で構成されるストロボ光が、算出された光量となったり、一部のＬＥＤの光量比率が高くして発光されることとなる。
【００８８】
なお、前述した実施の形態においては、レンズ３を中心に外側、中間、内側各ＬＥＤ群５１〜５３を同心円状に配置して閃光装置５を構成するようにした。しかし、図２３に示すように、カメラ本体２においてレンズ３の上部に第１及び第２のＬＥＤ群５４、５５を配置して閃光装置５を構成するようにしてよいし、図２４に示すように、レンズ３の左右に左ＬＥＤ群５６と右ＬＥＤ群５７とを配置して、閃光装置５を構成するようにしてよい（４は調光センサ、１５は光学ファインダである）。
【００８９】
また、ＬＥＤ群の構成についても、前述した実施の形態のように、Ｒ、Ｇ、ＢのＬＥＤを用いることなく、他の発光色のＬＥＤの組み合わせとしてもよいし、白色ＬＥＤであってもよい。さらに、発光手段としては実施の形態において用いたＬＥＤが好ましいが、昇圧トランス、コンデンサ、トリガコイル等を用いることなく発光可能な発光手段であれば他の発光手段であってもよい。
【図面の簡単な説明】
【００９０】
【図１】本発明の各実施の形態に共通の電子スチルカメラを示す正面図である。
【図２】同平面図であるとともにＬＥＤの配光方向示す模式図である。
【図３】同背面図である。
【図４】同電子スチルカメラの回路構成を示すブロック図である。
【図５】第１の実施の形態における電子スチルカメラにおける処理手順を示すフローチャートである。
【図６】マルチ測光モードにおける測光エリアを示す模式図である。
【図７】撮影補助フレームを示す模式図である。
【図８】第２の実施の形態で用いられるテーブルの構成を示す模式図である。
【図９】第２の実施の形態における電子スチルカメラにおける処理手順を示すフローチャートである。
【図１０】第２の実施の形態の変形例における電子スチルカメラにおける処理手順を示すフローチャートである。
【図１１】第３の実施の形態における電子スチルカメラにおける処理手順を示すフローチャートである。
【図１２】第３の実施の形態の変形例における電子スチルカメラにおける処理手順を示すフローチャートである。
【図１３】第４の実施の形態における電子スチルカメラにおける処理手順を示すフローチャートである。
【図１４】ＬＥＤの発光量を制御する第１の制御例を示すフローチャートある。
【図１５】同制御例を示すタイムチャートである。
【図１６】ＬＥＤの発光量を制御する第２の制御例を示すフローチャートある。
【図１７】同制御例を示すタイムチャートである。
【図１８】ＬＥＤの発光量を制御する第３の制御例を示すフローチャートある。
【図１９】同制御例を示すタイムチャートである。
【図２０】ＬＥＤの発光量を制御する第４の制御例を示すフローチャートある。
【図２１】同制御例を示すタイムチャートである。
【図２２】ＬＥＤの発光量を制御する第５の制御例を示すタイムチャートある。
【図２３】本発明の他の形態に係る電子スチルカメラの正面図である。
【図２４】本発明の他の形態に係る電子スチルカメラの正面図である。
【図２５】従来技術を示すブロック図である。
【符号の説明】
【００９１】
１  電子スチルカメラ
２  カメラ本体
３  レンズ
４  調光センサ
５  閃光装置
６  撮影ダイアル
７  電源／ファンクションスイッチ
８  シャッターキー
１７  ＣＣＤ
１８  ユニット回路
１９  ＭＰＵ
２０  フォーカスレンズ
２２  駆動機構
２３  ＡＦドライバー
２４  駆動部
２５  ＴＧ
２６  Ｖドライバー
２７  ＤＲＡＭ
２８  フラッシュメモリ
２９  ＭＲＯＭ
３０  電源回路
５１〜６８  第１〜第１８ＬＥＤ
【図１】
2008058978.tif 000003
【図２】
2008058978.tif 000004
【図３】
2008058978.tif 000005
【図４】
2008058978.tif 000006
【図５】
2008058978.tif 000007
【図６】
2008058978.tif 000008
【図７】
2008058978.tif 000009
【図８】
2008058978.tif 000010
【図９】
2008058978.tif 000011
【図１０】
2008058978.tif 000012
【図１１】
2008058978.tif 000013
【図１２】
2008058978.tif 000014
【図１３】
2008058978.tif 000015
【図１４】
2008058978.tif 000016
【図１５】
2008058978.tif 000017
【図１６】
2008058978.tif 000018
【図１７】
2008058978.tif 000019
【図１８】
2008058978.tif 000020
【図１９】
2008058978.tif 000021
【図２０】
2008058978.tif 000022
【図２１】
2008058978.tif 000023
【図２２】
2008058978.tif 000024
【図２３】
2008058978.tif 000025
【図２４】
2008058978.tif 000026
【図２５】
2008058978.tif 000027
【手続補正書】
【提出日】平成19年10月17日(2007.10.17)
【手続補正１】
【補正対象書類名】特許請求の範囲
【補正対象項目名】全文
【補正方法】変更
【補正の内容】
【特許請求の範囲】
【請求項１】
撮像手段と、
前記撮像手段によって撮像された被写体画像を記憶する記憶手段と、
複数個の発光ダイオードを備えた発光部と、
前記撮像手段より得られた被写体画像データから複数のエリア毎の明るさを検出する検出手段と、
周囲の明るさと前記検出手段が検出した各エリアの明るさに基づいて、各発光ダイオードの発光強度を算出する算出手段と、
シャッターキーの操作にしたがって前記算出手段で算出された発光量で各発光ダイオードを発光させるとともに、被写体画像を前記記憶手段に保存させる制御手段と
を備えたことを特徴とする閃光機能付撮像装置。
【請求項２】
前記発光部は、複数個の発光ダイオードが前記撮像手段のレンズを中心にして同心円状に配置されていることを特徴とする請求項１記載の閃光機能付撮像装置。
【請求項３】
前記複数個の発光ダイオードは、各々発光色が赤である赤色発光ダイオードと発光色が緑である緑色発光ダイオードと発光色が青である青色発光ダイオードとを含むことを特徴とする請求項１記載の閃光機能付撮像装置。
【請求項４】
前記複数個の発光ダイオードは、その放射光の拡散方向が各々異なる発光ダイオードを含むことを特徴とする請求項１記載の閃光機能付撮像装置。
【請求項５】
前記算出手段は、前記複数のエリア毎の明るさから得た発光ダイオードの発光強度を相対値として算出し、周囲の明るさから得た発光ダイオードの発光強度を全発光量として算出することを特徴とする請求項１記載の閃光機能付撮像装置。
【請求項６】
被写体画像データから測光エリア毎の明るさを検出するステップと、
この検出した各測光エリアの明るさに基づき、撮像された画像が各測光エリアにおいて所定の明るさとなる各発光ダイオードの発光強度を算出するステップと、
周囲の明るさに基づき、発光ダイオードからなる閃光装置の全発光量を算出するステップと、
この全発光量を算出するステップで算出した全発光量と、前記各発光ダイオードの発光強度を算出するステップで算出した各発光ダイオードの発光強度とに基づき、各発光ダイオードの発光量を算出するステップと、
シャッターキーの操作にしたがって、前記各発光ダイオードの発光量を算出するステップで算出された発光量で各発光ダイオードを発光させて撮像処理を実行し、被写体像を記憶手段に保存するステップと
を含むことを特徴とする撮像装置の発光制御方法。
【請求項７】
前記発光強度を算出するステップでは発光ダイオードの発光強度は、相対値として算出することを特徴とする請求項６記載の撮像装置の発光制御方法。
【請求項８】
複数の前記発光ダイオードによる発光量が、前記各発光ダイオードの発光量を算出するステップで算出された全発光量となるように、各発光ダイオードの発光量を前記各発光ダイオードの発光強度を算出するステップで算出した相対値に基づき算出することを特徴とする請求項６記載の撮像装置の発光制御方法。
【手続補正２】
【補正対象書類名】明細書
【補正対象項目名】０００６
【補正方法】変更
【補正の内容】
【０００６】
前記課題を解決するために請求項１の発明にかかる閃光機能付撮像装置にあっては、撮像手段と、前記撮像手段によって撮像された被写体画像を記憶する記憶手段と、複数個の発光ダイオードを備えた発光部と、前記撮像手段より得られた被写体画像データから複数のエリア毎の明るさを検出する検出手段と、周囲の明るさと前記検出手段が検出した各エリアの明るさに基づいて、各発光ダイオードの発光強度を算出する算出手段と、シャッターキーの操作にしたがって前記算出手段で算出された発光量で各発光ダイオードを発光させるとともに、被写体画像を前記記憶手段に保存させる制御手段とを備えたことを特徴とする。
【手続補正３】
【補正対象書類名】明細書
【補正対象項目名】０００７
【補正方法】変更
【補正の内容】
【０００７】
また、請求項６記載の発明にかかる撮像装置の発光制御方法にあっては、被写体画像データから測光エリア毎の明るさを検出するステップと、この検出した各測光エリアの明るさに基づき、撮像された画像が各測光エリアにおいて所定の明るさとなる各発光ダイオードの発光強度を算出するステップと、周囲の明るさに基づき、発光ダイオードからなる閃光装置の全発光量を算出するステップと、この全発光量を算出するステップで算出した全発光量と、前記各発光ダイオードの発光強度を算出するステップで算出した各発光ダイオードの発光強度とに基づき、各発光ダイオードの発光量を算出するステップと、シャッターキーの操作にしたがって、前記各発光ダイオードの発光量を算出するステップで算出された発光量で各発光ダイオードを発光させて撮像処理を実行し、被写体像を記憶手段に保存するステップとを含むことを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
以上説明したように本発明によれば、従来のストロボのように、単一の発光手段で撮像時に所要の明るさを確保する放電管や、それに供給する電力を得るための昇圧トランス、コンデンサ、トリガコイル等を用いる必要はなく、よって、部品点数少なくし、小型かつ省電力化が可能となるとともに、当該撮像装置が設定する測光エリアの状態に基づいて、複数個の発光ダイオードの発光量が決定されることにより、測光エリアを過不足のない最適により近い状態の明るさにして撮像を行うことができる。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】